(57)【特許請求の範囲】
【請求項１】
パーテーション（１）であって、該パーテーション（１）は、少なくとも左右2方向に支持材（１０２）を備え、該左右2方向の支持材（１０２）には係止可能な支持係止部（１１）を備え、
前記左右の支持材（１０２）の支持係止部（１１）に、収納容部（１４）が、該収納容部（１４）に備えられた容器係止部（１５）または保持棒（２１）を介して設けられ、
前記収納容部（１４）は、2重以上に設けられた可撓性シート（１０）が、少なくとも左右両方の略端部の一部または全部が互いに係止されて、上側に開口部を備え、下側が開放な開口部であり、
上側の開口部は、収容物（S）を出し入れする為の開口部である収納開口（１８）であり、
前記可撓性シート（１０）は、前記収納開口（１８）を構成する辺が、上下方向よりも長い長手方向であり、
前記左右の支持材（１０２）に備えられた支持係止部（１１）に係止されて設けられ、
前記2重以上の可撓性シート（１０）は、２以上の可撓性シート（１０）を重ねることによって２重以上に設けられた収納容部（１４）を備え、
前記収納容部（１４）の前記2重以上の可撓性シート（１０）に挟まれた中空空間は、収納空間（１３）であり、前記収納空間（１３）は、上方に開口部である前記収納開口（１８）を備えたことを特徴とするパーテーション（１）。
【請求項２】
前記支持材（１０２）は自立可能な足（１６）、または台座（１６）を備え、移動可能であることを特徴とする請求項１に記載のパーテーション（１）。
【請求項３】
前記2重以上の可撓性シート（１０）が、互いに係止されたシート係止部（２０）を備え、前記シート係止部（２０）によって、前記収納空間（１３）が分割されたことを特徴とする請求項１から請求項２のいずれかに記載のパーテーション（１）。
【請求項４】
前記シート係止部（２０）が、着脱可能であるか、またはシート係止部（２０）の距離を調整可能であることを特徴とする請求項３に記載のパーテーション（１）。
【請求項５】
前記収納容部（１４）が、保持棒（２１）を備え、前記保持棒（２１）は、前記収納開口（１８）の開口幅を、前記左右の支持材（１０２）へ係止された方向に保持可能であることを特徴とした請求項１から請求項４のいずれかに記載のパーテーション（１）。
【請求項６】
前記可撓性シート（１０）がマグネットシートまたは面ファスナーまたは自己吸着シートであることを特徴とした請求項１から請求項５のいずれかに記載のパーテーション（１）。
【発明の詳細な説明】
【技術分野】
【０００１】
本発明は、パーテーションに関し、特に、スペースの有効活用可能な収納スペースの確保、スペースを取らず植栽可能で、生活環境や住環境、職場環境を改善可能なパーテーションに関する。
【背景技術】
【０００２】
従来から、様々なパーテーションが提案されている。しかしながら、より省スペースな収納も兼ねて、軽量で、パーテーションの前後から手軽に収容物を取り出せ、また、植栽用のユニットとしても、同様に、軽量で、省スペースで、パーテーションの前後から垂直面の一面で緑花を楽しめ、風通しも良いパーテーションが求められている。
【０００３】
また、略垂直面において植栽可能で、且つ、植物が、しっかりと根を張るスペースを確保可能で根詰まりによる根腐れ、枯死等も抑制し、且つ、植栽容器の部分の取り外しが容易で、パーテーションの両面から植物を効率よく楽しめ、且つ、植物の葉の間を風が流れることが可能で、つまり、空気の洗浄効果が高く、施工が容易で、軽量化も図れるような植栽可能な植栽ユニットを兼ねたパーテーションが求められている。
【０００４】
植物を店頭等の装飾に用いたり家庭用のガーデニングとして楽しむ方が増えてきており、係る装飾には花壇、プランター、ハンギング等を利用した方法が用いられている。しかしながら、ワイヤー等で吊るすタイプのハンギング等では重量に制限があり、植物の数や種類が限られてしまうという問題や、鉢やプランター等による装飾ではアレンジやバリエーションの範囲に限界があるという問題がある。
【０００５】
例えば、壁面上のパーテーションに吊り鉢等で植栽した場合、壁面から出っ張るので、潅水した水が垂れる範囲も広くなり、特に屋内においては、好ましくないという問題点もある。
【０００６】
また、必要でない時は、手軽に撤去可能な略垂直な面でも植栽可能な植栽容器が求められている。
【０００７】
更に、花を用いて広範に装飾する場合では多数の鉢等への水やりに負担も大きくなるという問題もある。そこで、小規模な装飾範囲から大規模な装飾範囲まで自在に対応でき、更にあらゆるレイアウトや創作者の自由なアレンジに対応できる装飾用具が望まれているといえる。特にオフィスなどの緑花の装飾などでは個性溢れるお洒落な植物を用い、且つ、空気環境の改善と目の保養と心の癒し効果をもたらす緑花の装飾を容易に施す技術が求められているといえる。
【０００８】
そこで、従来からも種々の技術が提案されている。例えば、特許文献１には、発明の名称を「花卉ハンギングバッグおよび花卉ハンギングセット」とする技術が開示され、公知技術となっている（特許文献１参照）。具体的には「有底袋体の正面部複数箇所に十文字状切り込み等による窓部を形成してなり、これにより軒先に吊るしたり、あるいはトレリス等に懸け吊るして用いる場合に安定性がよく、しかも花卉類が成長するにつれて、露出していた袋体自体が次第に隠れるようになる結果、人工的感覚があまりなく自然性を維持することができ、また取り扱い性も格段に向上する」というものである。しかしながら、特許文献１に記載の発明は、側面の穴に植え込む為、大きな穴を設けると、土の流出が大きくなる為、根の大きな苗の植え込みは困難であり、また、側面の穴である為、種を直接植えることは困難であり、また、球根や宿根草なども、冬などに一度地上部が枯れて、春に目を出すような場合に、側面からの穴だけの本構成では、うまく芽が穴から出てきにくいという問題点があり、自由に植物を選べるとはいえず、また、枯れた後の植え替えにおいても、植え替えの際に、中の土が崩れて植え替えにくく、穴も大きくできないため、小さい穴からの作業を強いられ、手軽に植え替えられず、前記問題の解決には至っていない。
【０００９】
また、特許文献２には、発明の名称を「ユニット式ガーデニングラック」とする技術が開示され、公知技術となっている（特許文献２参照）。具体的には「自立接地用のベースを有しかつ長さが異なる複数種の帯板状ポールと、これら複数種の帯板状ポールの長さにそれぞれ等しい縦寸法を有しかつ横幅寸法は全て等しい大きさに形成された複数種のハンギング用格子パネルとを、帯板状ポールの両側辺部に形成した差込み溝及び係合部とハンギング用格子バネルの横幅方向の両側辺から突出させた突片との差込み係合手段を介して鉛直面内に形態の異なる複数種類の自立式ガーデニングラックを組立可能に構成している」というものである。しかしながら、特許文献２に記載の発明は、沢山の植物を自由に装飾できるが、大きな部材を組立て固定しなくてはならず、重量も増し、スペース確保の問題や装飾した個体を集合させているにすぎず、発明品本体による自由自在な装飾とは言えないため、前記問題の解決には至っていない。
【００１０】
なお、本発明者は、発明の名称を「多目的収納ユニット」とする技術で特許を受けている。（特許文献３参照）具体的には「可とう性を有する略布体状の形状から成る複数の小片シートによって全体が構成され、各前記小片シートは、一部が他の前記小片シートと重なり合う領域を有するように重畳的に配置され、該重なり合う領域に少なくとも２ヵ所以上の係止部を設けることで中空領域を形成し、係る構成とすることで前記中空領域の前面側の開放部と背面側の開放部を備え、前記前面側の開放部は収納物を収納するための収納口となり、前記背面側の開放部は前記重なり合う領域から下方へ前記収納物を通過させることで長さの異なる前記収納物でも収納できるように収納領域と収納位置を自由に調整することが可能であることを特徴とする請求項１に近い記載の植栽容器」というものである。しかしながら、１つの多目的収納ユニットについては、上下方向に収納、植栽していくものなので、特に、植物の葉の間を通過する通気性による空気の浄化効果という点など、本発明の課題を解決するものではなく、より広い応用、活用範囲、よりシンプルあるいは多彩な部材、構造、及び、より発展的な部材、構造とその製造方法を開発するといった課題も追及すべきといえる。
【００１１】
なお、本発明者は、発明の名称を「シート植栽容器ユニット及びその製造方法」とする技術で特許を受けている。（特許文献４参照）具体的には「収納ユニット可とう性を有する略シート状の素材から成る１以上の構成シート（１０）を、支持材（１０２）であるポールパーテーションを構成する支柱、または柵の並んだ支柱に橋架して支持材（１０２）間に前記構成シート(１０)が対面するように設け、前記橋架されて対面した前記構成シート（１０）に挟まれた空間を中空収納部（１１）とし、前記支持材（１０２）は、前記構成シート（１０）を保持する機能を有し、前記構成シート（１０）が橋架して設けられた前記対面した構成シート（１０）と構成シート（１０）の下部に底部を形成させる手段をとった。」というものである。しかしながら、収容物を、収納した状態のままでの、中空収納部の着脱性については述べられておらず、また、複数の中空収納部を重ねて同様に着脱可能に設けることについても、述べられておらず、中空収納部ごとの交換や移動、植え替えについては、課題が残されているといえる。また、よりシンプルな部材、構造、使用用途によるバリエーションや使いやすさを考慮した開発をするといった課題も追及すべきといえる。
【先行技術文献】
【特許文献】
【００１２】
【特許文献１】特開２００１−１８６８１６号
【特許文献２】特開２０００−０４１８１４号
【特許文献３】特許第６５１８８６１号
【特許文献４】特許第６３５４０１２号
【発明の概要】
【発明が解決しようとする課題】
【００１３】
省スペースで多数収納可能で、軽量で、容易に移動可能な収納容部と係る収納容部を備えたパーテーションを提供する。
【００１４】
垂直面方向においても植物を用いて自由に美しい装飾が可能であり、空気環境を整え、水やり、植え替えのいずれも簡単で、省スペースで多数植栽可能で、植物に優しく、軽量で、容易に移動可能な収納容部とパーテーションを提供する。
【課題を解決するための手段】
【００１５】
本発明に係るパーテーションは、
少なくとも左右2方向に支持材を備え、該左右2方向の支持材には係止可能な支持係止部を備え、
前記左右の支持材の支持係止部に、収納容部が、該収納容部に備えられた容器係止部または保持棒を介して設けられ、
前記収納容部は、2重以上に設けられた可撓性シートが、少なくとも左右両方の略端部の一部または全部が互いに係止されて、上側に開口部を備え、下側に収容物を受けることが可能な底である収納底を備えた袋状であるか、または、下側にも開口部を備え、
上側の開口部は、収容物を出し入れする為の開口部である収納開口であり、
前記可撓性シートは、前記収納開口を構成する辺が、上下方向よりも長い長手方向であり、
前記左右の支持材に備えられた支持係止部に係止されて設けられ、
前記2重以上の可撓性シートは、１つの可撓性シートを折り曲げるか、２以上の可撓性シートを重ねることによって２重以上に設けられた収納容部を備え、
前記収納容部の前記2重以上の可撓性シートに挟まれた中空空間は、収納空間であり、前記収納空間は、上方に開口部である前記収納開口を備えた構成を採用する。
【００１６】
また、本発明は、前記支持材は自立可能な足、または台座を備え、移動可能である構成を採用することもできる。
【００１７】
また、本発明は、前記2重以上の可撓性シートが、互いに係止されたシート係止部を備え、前記シート係止部によって、前記収納空間が分割された構成を採用することもできる。
【００１８】
また、本発明は、前記シート係止部が、着脱可能であるか、またはシート係止部の距離を調整可能である
構成を採用することもできる。
【００１９】
また、本発明は、前記収納容部が、保持棒を備え、前記保持棒は、前記収納開口の開口幅を、前記左右の支持材へ係止された方向に保持可能である構成を採用することもできる。
【００２０】
また、本発明は、前記収納容部は、前記保持棒を備えた状態で、前記支持材から着脱可能である
構成を採用することもできる。
【００２１】
また、本発明は、前記保持棒が１つであり、前記収納開口が可撓性を備えている構成を採用することもできる。
【００２２】
また、本発明は、前記収納容部が、保持棒を介して、支持係止部に係止された構成を採用することもできる。
【００２３】
また、本発明は、前記支持材または支持係止部が、鎖である構成を採用することもできる。
【００２４】
また、本発明は、前記鎖が、支持材に設けられたことによって、支持係止部を構成する
構成を採用することもできる。
【００２５】
また本発明は、前記収納容部の底が開放な開口部である構成を採用することもできる。
【００２６】
また、本発明は、前記収納容部が、２以上重複して設けられた構成を採用することもできる。
【００２７】
また、本発明は、マグネットシートまたは面ファスナーまたは自己吸着シートである構成を採用することもできる。
【００２８】
また、本発明は、前記収納底に、水抜き穴を備え、前記収納空間に培養基材を収容可能で、植栽される植栽ユニットである構成を採用することもできる。
【発明の効果】
【００２９】
本発明に係るパーテーションによれば、省スペースな収納ユニットとしてのパーテーションを提供し、パーテーションの手前側と向こう側と収納容部を介しての収容品のやり取りを容易にすることによる優れた効果を発揮する。
【００３０】
本発明に係るパーテーションによれば、多数の収容物を収容可能で、且つ、容易に移動可能で容易な収納容部を備えるという優れた効果を発揮する。
【００３１】
本発明に係るパーテーションによれば、垂直面の壁方向にも複数手軽に、自由に植栽可能で、上方に植栽した植物に潅水した水の排水も、周囲に広く散らず、略下側の植物に潅水され、節水効果と、係る排水に溶けだした肥料分も、下の収納容部に植栽された植物に使われることができるという優れた効果を発揮する。
【００３２】
本発明に係るパーテーションによれば、多数の植物を垂直面状に省スペースで植栽可能で、且つ、空気の流れを阻害せず、植栽された複数の植物の葉の間を流れる空気が、浄化される効果が高く、居住空間、職場環境等の空気環境を良好に保つことが可能であるという優れた効果を発揮する。
【００３３】
本発明に係るパーテーションによれば、閉塞しすぎず、立ったり、パーテーションを迂回しなくてもコミュニケーションとれて、パーテーションの内側と、外側のコミュニケーションも図り易いなど、パーテーションで仕切ることによって、集中力を保ちながらも、コミュニケーションを取り易く、且つ、収納場所や、環境改善を増やすことができ、仕事等の効率をアップさせることが可能であるという優れた効果を発揮する。
【００３４】
本発明に係るパーテーションによれば、比較的軽量であるので、植物を植栽している場合に、定期的に容易に反転可能であり、例えば、日光に当たり、元気に良く伸びる側の植物を、室内側に反転容易で、装飾的にも、植物的にも満遍なく日光を当てるということが容易であるという優れた効果を発揮する。
【図面の簡単な説明】
【００３５】
【図１】本発明に係るパーテーションの基本構成説明図である。
【図２】本発明に係る保持棒を設けた構成説明図である。
【図３】本発明に係る保持棒の構成のバリエーションの構成説明図である。
【図４】本発明に係るシート係止部を収納容部の中程に設けた構成説明図である。
【図５】本発明に係る収容物が植物の構成説明図である。
【図６】本発明に係る収容物が文房具の構成説明図である。
【図７】本発明に係る収納容部の底が開放で、長尺の収容物が収容された構成説明図である。
【図８】本発明に係る支持係止部が鎖である構成説明図である。
【図９】本発明に係る収納容部が重複して設けられた構成説明図である。
【発明を実施するための形態】
【００３６】
本発明に係るパーテーション１は、少なくとも左右2方向に支持材１０２を備え、該左右2方向の支持材１０２には係止可能な支持係止部１１を備え、
前記左右の支持材１０２の支持係止部１１に、収納容部１４が、容器係止部１５または保持棒２１を介して設けられ、収納容部１４は、2重以上に設けられた可撓性シートが、少なくとも左右両方の略端部の一部または全部が互いに係止されて、上側に開口部を備え、下側に収容物Sを受けることが可能な底である収納底１９を備えた袋状であるか、または、下側にも開口部を備え、
上側の開口部は、収容物を出し入れする為の開口部である収納開口１８であり、
前記可撓性シートは、前記収納開口１８を構成する辺が、上下方向よりも長い長手方向であり、
前記左右の支持材１０２に備えられた支持係止部１１に係止されて設けられ、
前記2重以上の可撓性シートは、１つの可撓性シートを折り曲げるか、２以上の可撓性シートを重ねることによって２重以上に設けられた収納容部１４を備え、
前記収納容部１４の前記2重以上の可撓性シートに挟まれた中空空間は、収納空間１３であり、前記収納空間１３は、上方に開口部である前記収納開口１８を備えたことによる有用性を発揮するものである。
【００３７】
以下、図面に基づいて本発明に係るパーテーション１について説明する。但し、図面に示した形状や配置構成等についてはあくまでも例示であり、本願発明の特徴的な効果が発揮される範囲において変更することを可能であり、また、それぞれの図の例示の構成は、それぞれお互いの図面の構成の例において、応用可能とする。
【００３８】
なお、図面の説明において上下左右、前面、手前、向こう側、後面は、図１（a）、図２（a）、図３（a）、図４（a）、図５（a）、図６、図７、図８、図９の各図面の方向に表されたパーテーション１の上下左右、前面、手前、向こう側、後面の方向と同じであり、また、前記各図面に対応する他の図面の方向と同じである。
【００３９】
図１は、本発明に係るパーテーション１の1つの基本構成を示し、図１（a）は、左右の支持材１０２に設けられた支持係止部１１に可撓性シート１０で構成された収納容部１４を係止して設けられた構成であり、係る収納容部１４を構成する可撓性シート１０は、2重に重ねて設けられており、係る2重に重ねられた可撓性シート１０に挟まれた中空空間は、上側に開口部である収納開口１８を備える様にして、収納空間１３を備えて、係る収納容部１４を構成する例である。
【００４０】
係る収納容部１４は、右側と左側の両端に穴である容器係止部１５を備え、係る容器係止部１５にて支持材１０２の支持係止部１１に係止して設けられ、上方に収納空間１３の開口部である収納開口１８を備えた構成の例である。
【００４１】
係る容器係止部１５は、本構成の例においては穴であるが、その他、Dカンやフック、紐、あるいは突起部を支持係止部１１に差し込む構成でも良く、その他、限定せず、本発明の技術的思想の範囲内、即ち、同一の作用効果を発揮できる形状及び寸法の範囲内で変更することができるものである。
【００４２】
また、係る支持材１０２は、下側に足１６を備え、自立可能な構成であり、係る足１６は、板状や格子状や網状の台座１６でも良く、係る支持材１０２が自立可能な構成であれば良く、その他限定せず、本発明の技術的思想の範囲内、即ち、同一の作用効果を発揮できる形状及び寸法の範囲内で変更することができるものである。
【００４３】
また、支持係止部１１は、本構成においては、フック状であるが、穴でもDカンや丸カン、鎖８０でも良く、また、レールに設けられた支持係止部１１が自由に高さを変更できる構成としても良く、その他、限定せず、本発明の技術的思想の範囲内、即ち、同一の作用効果を発揮できる形状及び寸法の範囲内で変更することができるものである。
【００４４】
また、係る支持係止部１１は、例えば、鎖８０など、支持材１０２とは別体に設けた支持係止部１１とする構成としても良い。但し、鎖８０の場合、係る収納容部１４を設けた際に、係る収納容部１４の重量によって、係る収納容部１４側に係る鎖８０が座屈し、それによって、係る支持係止部１１間が狭くなり、係る収納容部１４も座屈してしまわないよう、しっかりと上下の支持材１０２にテンションをかけて係る鎖８０を設置したり、係る収納容部１４が座屈しないように、係る収納容部１４の左右の支持係止部１１の距離を保持可能な突っ張り棒などの保持棒２１を設けることが望ましい。
【００４５】
係る構成によって、パーテーション１を収納ユニットとして活用することが可能となり、また、通常の壁状のパーテーション１の場合は、壁の厚さであるスペースとなるところを、本構成においては、通常のパーテーション１では壁の厚さとなるスペースを、収納スペースとすることが可能となり、スペースを有効活用でき、有用である。
【００４６】
また、係るパーテーション１は、各収納容部１４の間が前後側に見通せる構成となっている為、閉塞しすぎず、係るパーテーション１に囲われたエリアにおいても、圧迫感の少ないパーテーション１となり、通常の完全に閉ざされたパーテーション１の場合は、立ち上がるか、係るパーテーション１を歩いて迂回しなければパーテーション１の向こうの人とコミュニケーションができなかったり、物の受け渡しができないという問題点があり、例えば、パーテーション１の向こう側の人への連絡書類や稟議書等を順番に入れておき、必要な時に取り出しが可能で、例えば、手前から順番に必要書類を入れていけば、向こう側の人は先に入れられた書類から取り出すことが可能となるので、自然とファーストインファーストアウトになる為、例えば、病院や店舗で、先の患者や注文から捌いていく必要があるような使い方もでき、有用である。
【００４７】
また、各収納容部１４の底である収納底１９に水抜き穴１７を設けて、係る収納空間１３に培養基材３４を入れて、植物Sを植栽する構成とすることもでき、係る構成とすることによって、緑花に囲まれたスペースを容易に創出することができ、風通しも良く、係る植栽された植物S間を通過した風で呼吸することができるので、酸素の供給と、乾燥の防止となり、仕事や勉強、場の雰囲気向上に有用である。
【００４８】
係る構成によって、係るパーテーション１の両側から緑花を楽しむことが可能となり、また、支持材１０２の間のスペースを植栽部とすることが可能となる為、スペースを有効に活用でき、有用である。つまり、例えば、壁状のパーテーション１に吊り鉢等の植木鉢を吊る構成だと、壁状の一部に吊下げる様にして吊り鉢などを吊り下げて植物Sを装飾することが考えられるが、出っ張る為無駄なスペースが生まれ、潅水した水が係る出っ張ったところから広いエリアに水が垂れるので、排水の処理が困難となるという問題点もあるものであるし、植栽した培養基材３４のスペースも小さくなるので、根３６を張るスペースが小さくなり、根３６腐れ等もし易くなり、植物Sにとっても、厳しい環境となり、植栽に適した植物Sのサイズや量や選択肢が限られてくるものであるし、壁の向こう側からは見えない為、パーテーション１の向こう側でも同様に植物Sを楽しむ為には、壁の向こう側にも植栽する必要があり、非効率な面があり、風通しも悪くなるという問題点もあった。
【００４９】
また、ラティスフェンスに代表される様な格子状のパーテーション１においても、基本的に、そこに吊設されて植栽された植物Sは、係る植栽側から植物Sを楽しむ為の構成であり、また、係るラティスフェンスのパーテーション１からどうしても大きく出っ張る様に植栽されるものである。
また、係る支持材１０２の間に、複数の橋架した台を設置するような構成とし、その上にプランターの様な鉢を載置して使用する場合は、どうしても係る台をしっかりと作り付けなければならず、また、載置する鉢の重量もあり、全体として、どうしても重くなり、また、係る鉢の落下なども心配され、好ましくない面も多い構成である。
【００５０】
一方、本構成においては、そうした容器部が落下する心配もなく、また、可撓性のシート状であるので、容器部の重量も軽く、且つ、印刷等違いのバリエーションを変える、取り換えることも容易で、より、場の雰囲気に合わせた色や模様のデザイン構成とすることも可能となり、収納機能のある緑と合わせたブラインドカーテン風となり、装飾的にも、且つ、実用性も備えて大変有用な構成である。
【００５１】
また、必要に応じて、設置する支持係止部１１の高さを自由に選択して変更することが可能であり、係る収納容部１４の高さや、間隔を、必要に応じて自由に設定可能であり、有用である。
係る収納部は、前後面両方から収納することが可能となり有用である。
【００５２】
可撓性シート１０は、例えばテント生地やメッシュ生地等の布状部材を用い、必要に応じて、マグネットシートなどの着脱可能な素材を用い、素材は丈夫で可とう性を有し、必要に応じて変形可能であるとともに、収納物Ｓの重量に耐えるための強度を有した素材を用いることが望ましい。可撓性シート１０の寸法や形状については特に限定するものではない。
【００５３】
尚、図１（ａ）における、九十九折り線で示した部分が、シート係止部２０であり、可撓性シート１０同士の係止部分を示しており、係る係止部は、縫製や接着、融着、鋲やハトメ等によって係止されるものであり、その数や長さについては特に限定するものではなく、また、ホック５０や面ファスナーによって着脱可能に係止しても良く、その他、限定せず、本発明の技術的思想の範囲内、即ち、同一の作用効果を発揮できる形状及び寸法の範囲内で変更することができるものである。
【００５４】
図１（ｂ）及び図１（ｃ）は、収納容部１４の側面からの縦断面図であり、図１（ｂ）は、一枚の可撓性シート１０を略半分に折り曲げて、係る折り曲げ部が係る収納容部１４の収納底１９となる構成であり、図1（ｃ）は、二枚の可撓性シート１０を重ね合わせて、下側を互いに係止したシート係止部２０とすることによって、係るシート係止部２０が係る収納容部１４の収納底１９となる構成である。
【００５５】
図1（ｄ）は、係る収納容部１４の下側の底に、収容物Sを受けることが可能な、収納底１９を設けない構成であり、2枚の可撓性シート１０を重ねて支持材１０２に設けた構成の例の収納容部１４の断面図であり、係る構成においては、例えば、長さの違う長尺の収容物Sを収納する場合になどに有用であり、例えば、様々な長さの物差しや、農業用支柱、様々な長さにカットしたシート状の素材を筒状に丸めた物など、係る収納容部１４に挟み込んで挟持させて収納することが可能である構成であり、有用である。
また、可撓性シート１０の略全体をマグネットシートや面ファスナー、自己吸着シートで構成し、係る重複した可撓性シート１０を互いに全体的に吸着可能とすることによって、つまり、重複した可撓性シート１０の組み合わせを、マグネットシートと鉄粉入りの可撓性シート１０、あるいは、面ファスナーのオスとメス、自己吸着シートと自己吸着シートが吸着可能な平滑な可撓性シート１０で構成することによって、より、収容物Sをしっかりと、あるいは、倒れることなく保持可能な構成となり、有用である。
【００５６】
図1においては、二枚の可撓性シート１０を重ねた例であるが、例えば、3枚の可撓性シート１０を重ねて係止することによって、手前側からの収納物の中空収納部１１、向こう側からの収納物の中空収納部１１とすることができ、有用であり、また、3重以上として、中空収納部１１の数を更に増やした構成としても良い。
【００５７】
また、本構成の例の図1（a）様に、略垂直方向の開口である収納開口１８を構成する可撓性シート１０の左右方向の辺の長さが、係る可撓性シート１０の垂直方向の長さよりも長いことによって、収納開口１８を広くとることが可能となり、且つ、複数段に係る収納容部１４を設けることが可能となり、より多く収納可能なパーテーション１とすることが可能となり、有用であり、特に、係る収納容部１４が植栽用である構成において、横方向により多くの植物Sを植栽可能で、且つ、植物Sが横方向に根３６を張るスペースを大きく備えることが可能となり、根３６詰まりによって、係る植物Sが枯れることを抑制可能で、有用である。
【００５８】
図１の構成のパーテーションは、主に、オフィスの机と机の間の間仕切りであったり、オフィスの入口の目隠しや仕切り、自宅の玄関の扉の外に備えて、外からの目隠しとすることができるものである。
【００５９】
本構成においては、足が備えられて、地面に載置して移動可能な構成であるが、例えば、係る支持材を地面に打ち込んだり、ボルトなどによって固定する構成とすることもできる。
【００６０】
図２の構成の例は、図１の構成の収納容部１４の収納開口１８に、係る収納容部１４の左右方向への開口幅を保持する為の棒である保持棒２１を備えた構成の例である。
係る構成によって、係る収納容部１４を、係る支持材１０２から取り外した際に、例えば、特に係る収納容部１４に培養基材３４を収容して植物Sを植栽している場合、特に本構成の例の様に、係る収納容部１４が左右方向に長尺な構成の場合、係る収納容部１４を係る支持材１０２から取り外した際に、係る収納容部１４に収容した培養基材３４の重量で係る収納容部１４が座屈して、係る培養基材３４がこぼれ落ちてしまうという課題があり、特に、係る収納容部１４を支持材１０２から外した際にも、係る収納容部１４が座屈しないようにすることが可能となり、有用である。
【００６１】
図２の構成の例においては、係る収納容部１４の左右の両端部に係る保持棒２１を突き刺す穴である、保持材係止部２２が設けられており、係る保持材係止部２２である穴に係る保持棒２１が挿入されて、係る収納容部１４の両端を突っ張り、係る収納容部１４の幅を保持される構成の例であり、図２（a）は、係る保持棒２１を備えた収納容部１４が、支持材１０２に設けられた構成の例である。
【００６２】
図２（ｂ）は、係る保持棒２１を備えた収納容部１４が、支持材１０２から外された構成の例であり、図２（ｃ）、図２（ｄ）、図２（ｅ）は、それぞれ、図２（ｂ）の構成の上面図、側面図、上面図の部分拡大図である。
図２（ｄ）に示される様に、図２の収納容部１４の側面には、穴である保持材係止部２２が備えられており、係る保持材係止部２２に先端がテーパー状の保持棒２１が挿入され、係る保持材係止部２２の穴の外径よりも小さい径の保持棒２１が係る保持棒２１のテーパー部で挿入が止まり（図２（ｅ）も合わせて参照）、係る保持棒２１が、図２（ｃ）に示される様に、係る収納容部１４を、係る収納開口１８を左右の長手方向に、その開口を保持している構成の例である。
【００６３】
保持材係止部２２は、図２の構成においては、穴であるが、丸カンやDカン、紐でも良く、また、図面には示していないが、係る可撓性シート１０の中を係る保持棒２１を挿通させる構成としても良く、その他、保持棒２１にて係る収納容部１４の収納開口１８の左右方向の開口長さを座屈しないように保持する為の保持棒２１を係止可能な構成であれば、その他、限定せず、本発明の技術的思想の範囲内、即ち、同一の作用効果を発揮できる形状及び寸法の範囲内で変更することができるものである。
【００６４】
係る構成によって、係る収納容部１４を係る支持材１０２から取り外しても、係る収納容部１４が座屈せず、例えば、植物Sを植栽されている場合などには、季節の変わり目などで枯れた植物Sを係る保持棒２１を備えた収納容部１４ごと取り外し、予め、保持棒２１を備えた収納容部１４に新たに植栽した収納容部１４を入れ替えることが可能となる構成であり、係る保持棒２１を把手として運ぶことも可能であり、有用である。
【００６５】
図３（a）の構成の例においては、係る収納容部１４の左右の略両端部に係る保持棒２１を設ける保持材係止部２２として、二重丸カンが設けられており、係る保持材係止部２２である二重丸カンに係る保持棒２１の略両端に設けられたＵ字カンである保持棒２１側に設けられた収納容部１４との係止部である保持材側係止部２３が保持材係止部２２と係止されて、係る収納容部１４の両端の位置を保持し、係る収納容部１４の幅が保持される構成の例である。
【００６６】
係る構成においては、支持材１０２の支持係止部１１と係る収納容部１４との係止は、係る保持棒２１を係る支持係止部１１のフック形状部に挿入して係止された構成の例となっている。
また、係る支持材１０２を自立可能に載置可能にする為の図１の構成の例の足１６は、台座１６形状である構成の例であり、係る構成とすることによって、図５の構成の例の様に、植栽用の植栽ユニットとした構成において、水受け３５を載置することができる構成となっており、床を汚し難い構成であり、有用性がある構成である。
【００６７】
また、係る保持棒２１は、図３（ｂ）の例の様に、２つでも良いし、2つ以上でも良い。
【００６８】
図３（ｂ）の例においては、可撓性シート１０に設けられた保持材係止部２２に保持棒２１が挿通され、係る保持材係止部２２は、収納開口１８を構成する部分の可撓性シート１０を、折り曲げて係る保持棒２１を挿通可能に設けられている構成の例の断面図であり、図３（ｃ）は、図３（ｂ）と同等の収納容部１４が、係る保持棒２１を介して、支持材１０２の支持係止部１１に設けられた構成の説明図である。
【００６９】
係る構成においては、２本の保持材係止部２２に挿通された保持棒２１が、係る収納容部１４の左右の両端から突き出しており、係る２本の保持棒２１が、支持材１０２を挟むようにして支持材１０２の支持係止部１１に設けられている構成の例である。
係る構成においては、収納開口１８が、２本の保持棒２１によって剛性を備え、収納開口１８が安定的であるという有用性を備える一方で、係る収納開口１８の開口幅が、支持係止部１１の位置や形状によって決まる係る２本の保持棒２１の幅に制限される構成である。一方、図３（a）の構成の例においては、係る収納開口１８の幅が、可撓性シート１０が撓んで、収容物Sに合わせて、収納開口１８の幅が部分的に変形可能である構成とすることも可能で、
例えば、植物Sを植栽する場合などにおいては、根鉢のサイズなどによって、幾らか開口幅の調整が利く構成で、有用な面があり、図３（a）の構成の例の収納容部１４を備えるか、図３（ｂ）や図３（ｃ）の構成の例の収納容部１４を備えるかは、それぞれ用途に応じて、選択可能である。
【００７０】
収納容部１４は前記保持棒２１に吊設するようにして設けても良く、また、係る保持材係止部２２は、収納開口１８を構成する部分の可撓性シート１０を、折り曲げて係る保持棒２１を挿通可能に設けても良いし、図面には示されていないが、収納開口１８に沿う様に設けられた複数の穴に、順番に通すような構成としても良く、その他、限定せず、本発明の技術的思想の範囲内、即ち、同一の作用効果を発揮できる形状及び寸法の範囲内で変更することができるものである。
【００７１】
また、保持棒２１はパーテーション設置時は外し、収納容部を支持材から取り外し時に、収納容部に設ける構成としても良い。
【００７２】
図４は、収納容部１４を係止して左右に分割する構成の例であり、図１の構成の例と同等の収納容部１４の略中央付近で、二重の可撓性シート１０を互いに係止する、シート係止部２０にて、係る収納容部１４の収納空間１３を左右二つに分割する構成の例である。
【００７３】
図４（a）は、係るシート係止部２０が、係る収納空間１３の上から下までの略全体を係止した構成であり、図４（ｂ）は、一部を係止した構成の例であり、例えば、係る左右の支持材１０２の距離が長くて、係る収納空間１３の中央付近の収納開口１８が、広がり過ぎてしまう場合などにおいて、係る広がり過ぎを抑制する効果があり、有用である。
【００７４】
図４（a）の構成の例の様に、係るシート係止部２０を上から下まで、全体を係止することによって、より完全に、係る収納空間１３を分割することが可能となる構成である。
【００７５】
また、図４（ｂ）の構成の例の様に、一部を係止した構成であることによって、例えば、収納物が培養基材３４や植物Sである場合においては、係止されていない部分にも培養基材３４が収容されるので、係る植物Sの根３６が、より広く根３６を張るスペースが広がり、根３６詰まりによる植物Sの枯死の可能性が抑制され、有用な構成である。
【００７６】
尚、係るシート係止部２０は、着脱可能な構成としても良く、例えば、ホック５０や面ファスナーや、紐などによる結束や、フックなどによって２枚の可撓性シート１０を互いに係止するような構成でも良く、係る着脱可能なシート係止部２０の構成は、その他、限定せず、本発明の技術的思想の範囲内、即ち、同一の作用効果を発揮できる形状及び寸法の範囲内で変更することができるものである。
【００７７】
また、図４の構成の例においては、係る収納空間１３を２分割する例であるが、図面には示されていないが、３分割以上の構成としても良く、係るシート係止部２０の数や形状は、限定しない。
【００７８】
係るシート係止部２０を着脱可能な構成とすることによって、収納物の幅やサイズに合わせて、係る分割した収納空間１３のサイズを変更可能で、有用である。
つまり、例えば、ノートを収納する場合と、物差しを収納する場合、A3やA4、B5サイズの資料を収納する場合などに応じて、係る収納空間１３のサイズを変更可能で、有用である。
【００７９】
図5の構成の例は、係るパーテーション１に、植物Sを植栽する構成の例である。
図5（a）の構成の例は、係るパーテーション１のユニットに植栽された構成の例であり、略図４の構成の例のパーテーション１に設けられた収納容部１４の収納底１９に、水抜き穴１７が設けられ、係る収納容部１４に植栽された構成の例であって、本構成は、係る支持材１０２を台座１６によって自立可能な構成としていることによって、係る台座１６の上に水受け３５を載置することが可能な構成となっており、室内であっても、万一係る水受け３５からこぼれた水も、まずは、係る台座１６部分にこぼれる為、床に水がこぼれてつくことを抑制できる構成となっている。
尚、図５（a）の図面には示されていないが、係る収納底１９は、１枚のシートが折り曲げられるようにして設けられており、水抜き穴１７は、係る収納底１９に、切り込みを入れることによって図５（ｂ）に示されるような水抜き穴１７が設けられているものである。
尚、係る水抜き穴１７は、２枚以上の可撓性シート１０を重ねて設ける場合は、収納底１９を形成するシート係止部２０を、断続的に設けても良いし、着脱可能なシート係止部２０の構成としても良い。
【００８０】
図５（ｂ）は、係る収納容部１４の水抜き穴１７が設けられた部分であって、係る収納容部１４に、培基材と根３６のついた植物Sを植栽した側面からの断面図であり、係る収納容部１４に上から潅水した場合、係る水は、窄まった収納底１９に備えられた水抜き穴１７から排水される為、排水が広く散らばらず、下の収納容部１４または水受け３５の略中心ラインに、略直線状に排水可能であり、広く水が散らず、有用であり、上に潅水されて排水された水も、下の植物Sに潅水され、節水効果もあり、また、一番上の段にだけ潅水することも可能で、潅水の手間も容易であり、有用である。
また、上の収納容部１４に施肥された肥料についても、水に溶けだして流れ出した養分が、下の収納容部１４の植物Sで使用されることになり、有用である。
【００８１】
図５（ｃ）は、収納容部１４の収納底１９をホック５０で着脱可能に設け、係るホック５０の間を水抜き穴１７として構成した例である。
係る構成によって、培養基材３４や、植物Sの種類によって、排水のしやすさを調整可能となり、つまり、乾燥気味の培養土を好む植物Sの場合は、より大きく水抜き穴１７を設ける等の調整が可能であり、有用である。
【００８２】
尚、係る収納底１９を着脱可能、あるいは、水抜き穴１７のサイズを調整可能な構成は、ホック５０の他に、面ファスナーでも、紐による結束でも、クランプでも良く、また、複数のファスナーを備えて、水抜き穴１７のサイズを調整可能な構成としても良く、その他、限定せず、本発明の技術的思想の範囲内、即ち、同一の作用効果を発揮できる形状及び寸法の範囲内で変更することができるものである。
また、一番上あるいは上二段は収納用の収納容部１４として、それより下側の段を植栽用に活用しても良い。
尚、図面のドット部が、培養基材３４を示している。
【００８３】
尚、図面には示していないが、係る台座１６の上面も、受け皿状に、台座１６の縁から水がこぼれ難い構成とし、水受け３５と合わせて、二重に水を受けることが可能な構成としても良い。
【００８４】
図1の説明にも一部記載の様に、係る構成によって、係るパーテーション１の両側から鑑賞可能で、一面に、好きな植物Sを植え替え容易で、且つ葉の間を風通し良く植物Sの新鮮な空気を循環可能で空気洗浄効果、つまり有害物質吸収効果や酸素供給効果も高く、空気の乾燥を抑制し、また、収納容部１４ごとの入れ替えも容易で且つ収納容部１４も軽量で、植物Sの根３６が張るスペースも広く、植物Sに優しく、また、上の収納容部１４に潅水した水は、基本的に、下側の、収納開口１８よりも狭く窄まった形状の収納底１９に設けられた水抜き穴１７から排水されるので、ほぼ、下側の収納容部１４内に排水されるので、周囲に広く飛び散ることも抑制され、非常に有用な構成である。
【００８５】
特に、観葉植物Sが空気環境を改善することは、ホルムアルデヒド等の有害物質の低減効果は、アメリカ航空宇宙局等の研究機関でも示されており、そうした有害物質による健康への被害の予防や抑制に資するものであり、冬場や夏場のエアコンによる空気の過乾燥による、ドライアイやドライマウス、ドライノーズ、肌荒れ等を予防し、また、人の心への癒し効果も期待できるものであり、本構成によって多数の植物Sを、多段に、省スペースで、多数の植物Sの間を空気循環良く植栽可能である本構成は、住環境、仕事場の環境、学習の環境を改善する上で、そして、それらの環境を改善して、能率アップを図ることが可能であり、大変有用な構成である。
【００８６】
図６の構成の例は、係るパーテーション１に、ノートなどを収納された構成の例である。
図１の説明にもある様に、係る構成によって、係るパーテーション１の手前からと向こう側からと両方からノートや書類の収容物Sを出し入れ可能な構成の効果を最大限に発揮するものであり、また、係る収納容部１４ごと、保持棒２１と合わせて取り外して移動可能で、他のパーテーション１や、壁などに移動して掛けて収納することが可能で、有用である。
【００８７】
図７の構成の例は、係るパーテーション１を構成する幾つかの収納容部１４の底が収納底１９が無く、開放な開口部を備えた構成であり、それぞれ長さの違う長尺な物品が収納された構成の例であり、最上段の収納容部１４は、３つのシート係止部２０によって分割された４つの収納容部１４の内、右の二つには、シート係止部２０によって設けられた収納底１９を備え、真ん中の二つの分割された収納容部１４には、収納底１９が無い構成であり、上から２段目の収納容部１４は、収納底１９が設けられておらず、最下段の収納容部１４には、収納底１９が設けられている構成であり、それぞれの収納容部１４には、長さの違う収容物Sが収容されており、２本の１ｍの定規と、長い巻かれた２本のポスターは、それぞれ、上の日本の収納容部１４を貫通し、一番下の収納容部１４の収納底１９で支えられて収容され、50ｃｍの２本の定規と、同等の長さの２本のポスターは、上から二番目の収納容部１４を貫通し、一番下の収納容部１４の収納底１９に支えられて収納され、30ｃｍの日本の定規と、同等の長さの２本のポスターと、４冊のノートは、複数の収納容部１４に跨らずに１つの収納容部１４に収容されている構成の例を示している。
【００８８】
また、係る収納底１９を構成するシート係止部２０を、ホック５０などで着脱可能に設けることによって、収納する収容物Sの長さに応じて、収納容部１４を自由に設定変更可能となり、更に、有用である。
【００８９】
図８の構成の例は、支持係止部１１が、鎖８０の構成の例であり、係る鎖８０が、左右の支持材１０２に結束バンドである鎖係止具８１によって係止して留められ、係る鎖８０の輪のそれぞれが、支持係止部１１となる構成である。
係る支持係止部１１が、鎖８０であることによって、より連続的に収納容部１４を係止する高さを調整可能となり、係る収納容部１４のサイズや高さや間隔を設置する自由度が増し、有用である。
また、係る鎖８０が、支持材１０２に係止されていることによって、係る鎖８０に収納容部１４を設けても、係る鎖８０が内側に引っ張られていき、係る収納容部１４が真ん中の方で座屈して、植物Sなどの収容物Sがこぼれてしまうという問題点を克服しており、有用である。
尚、係る鎖係止具は、鎖を支持材に設ける構成であり、結束バンドでも、紐でも、針金、板材、ネジ、溶接、接着、粘着テープでも良く、その他、限定せず、本発明の技術的思想の範囲内、即ち、同一の作用効果を発揮できる形状及び寸法の範囲内で変更することができるものである。
【００９０】
図９の構成の例は、図８の構成と同等に支持係止部１１が、鎖８０の構成の例であり、係る鎖８０が、
係るパーテーション１を構成する幾つかの収納容部１４の収納底１９が無い構成であり、３段の収納容部１４が植栽用であり、上から２段目の収納容部１４の手前に重なる様にして、追加的に、もう一つの収納容部１４が、左右の支持材１０２に橋架して設けられており、係る、追加的に設けられた収納容部１４には、複数の筆記用具が収容された構成の例であり、係る構成の様に、係るパーテーション１を、緑化と収納用と、２ウェイで活用できる構成の例であり、有用である。
尚、係る複数の筆記用具が収容された収納容部に、別の植物を植栽することによって、例えば培養基材の性質の異なる条件を好む植物を、ちょっとした段々の花壇状に植栽でき、装飾的にも有用な構成である。
【００９１】
尚、係る鎖８０は、本構成においては、支持材１０２に係止して設けた構成の例であるが、係る鎖８０を上から吊設する、あるいは、上下でしっかり固定した構成の鎖８０としても良く、但し、係る鎖８０を上から吊設した構成においては、収納容部１４が座屈してしまわないよう、保持棒２１を備えることが必要であり、また、係る鎖８０の上下をしっかりと固定する構成においては、係る鎖８０が弛まないようにしっかりと強い張力で設置することが望ましい。
【００９２】
尚、一連の本図の実施例において、
可撓性シート１０の素材は、可とう性を有したシート状で、テント生地やメッシュ生地等の布状部材、網状部材、他各種繊維素材、各種ゴムや各種樹脂シート製、綿、麻等の天然素材、紙製、金属メッシュ等の金属、ガラス繊維、マグネットシート、面ファスナー、自己吸着シートでも良く、また、色も透明、蛍光、光っても良く、その他、必要に応じた強度、機能を有し、本発明と同一の作用効果を発揮できる範囲内でその素材を限定しない。
また、可撓性シート１０の形状も、多角形、丸、楕円、その他異形でも、長さ、大きさ違いの組み合わせ違いでもよく、その形状を限定せず、また、厚さも、本発明と同一の作用効果を発揮できる範囲内で限定しない。
【００９３】
また、シート係止部２０は、図面に表記していないものも、必要に応じて、必要な個所に設ける構成が可能であり、また、それぞれの係止方法は、接着、融着、縫製、結束、ピン止め、ボタン止め、面ファスナー止め、磁石、ステープラー等、本発明と同一の作用効果を発揮できる範囲内でその係止手段を限定しない。
また、シート係止部２０は、着脱可能に係止してもよく、着脱可能な係止手段は、ホック５０、ボタン、面ファスナー、フック、磁石、紐、ファスナー等、本発明と同一の作用効果を発揮できる範囲内でその係止手段を限定しない。着脱可能な構成とすることにより、必要に応じて可撓性シート１０のサイズや材質を選択可能となり、有用である。
【００９４】
また、収納容部の底部、または左右、または、その他の部分のシート係止部２０は、マチを備えたシート係止部２０とした構成としても良い。
支持材１０２は、前記収納容部の位置を保持する為の構成の物であり、前記支持係止部１１または保持棒２１を介して、前記収納容部１４の位置を保持し、係る材質は、鉄やアルミニウム、その他金属でも良いし、木、プラスチック、ガラス、陶器、紙製の筒でも良く、形状においても、筒状、棒状、鎖状でも良く、その他、限定せず、本発明の技術的思想の範囲内、即ち、同一の作用効果を発揮できる形状及び寸法の範囲内で変更することができるものである。
【産業上の利用可能性】
【００９５】
本願発明は、収納や緑化に有用なパーテーションについての発明であり、スペースの効率化、職場環境等の特に屋内の環境向上に有用であり、産業上利用可能性は極めて高いと思慮されるものである。
【符号の説明】
【００９６】
１    パーテーション
１０  可撓性シート
１１  支持係止部
１３  収納空間
１４  収納容部
１５  容器係止部
１６  足、台座
１７  水抜き穴
１８  収納開口
１９  収納底
２０  シート係止部
２１  保持棒
２２  保持材係止部
２３  保持材側係止部
３４  培養基材
３５  水受け
３６  根
５０  ホック
８０  鎖
８１  鎖係止具
１０２ 支持材
Ｓ    収容物、植物
【要約】      （修正有）【課題】省スペースで多数収納可能で、軽量で、容易に移動可能な収納容部と係る収納容部を備え、垂直面方向においても植物を用いて自由に美しい装飾が可能であり、空気環境を整え、水やり、植え替えのいずれも簡単で、省スペースで多数植栽可能で、植物に優しく、軽量で、容易に移動可能な収納容部とパーテーションを提供する。【解決手段】左右２方向の支持材１０２には係止可能な支持係止部１１を備え、左右の支持材の支持係止部に、収納容部１４が設けられ、収納容部は、２重以上に設けられた可撓性シート１０が、少なくとも左右両方の略端部の一部または全部が互いに係止されて、収納開口１８を備え、可撓性シートは、収納開口を構成する辺が、上下方向よりも長い長手方向である、収納でも植栽でも自由にすることを可能な構成のパーテーション１とした。【選択図】図１【図１】
0006667885.tif 000002
【図２】
0006667885.tif 000003
【図３】
0006667885.tif 000004
【図４】
0006667885.tif 000005
【図５】
0006667885.tif 000006
【図６】
0006667885.tif 000007
【図７】
0006667885.tif 000008
【図８】
0006667885.tif 000009
【図９】
0006667885.tif 000010